(57)【特許請求の範囲】
【請求項１】
ＬＥＤを光源とする照明器具であって、
器具本体と、
前記ＬＥＤを点灯させるための装置である電源装置と、
前記器具本体を覆うセードと、
前記器具本体の周方向に配置される複数のＬＥＤにより構成されるＬＥＤ光源群が、前記器具本体の中心部から周縁部の方向に間隔をおいて複数配置される光源部と、
前記器具本体の中心部側に向けて傾斜し、かつ前記器具本体の周方向に連続して形成される第１反射部と、前記器具本体の周縁部側に向けて傾斜し、かつ前記器具本体の周方向に連続して形成される第２反射部とを有する光反射体が、隣接する前記ＬＥＤ光源群の間に配置される光反射部と、
前記器具本体に設けられる、前記照明器具を取り付けるための前記取付用穴と、
を備え、
前記光源部と前記光反射部は、前記電源装置または前記取付用穴の周りに配置される、
照明器具。
【請求項２】
前記光反射部は、前記光反射体の前記第１反射部と前記第２反射部の間に、前記器具本体の周方向に連続して形成される第３反射部を備えた、請求項１に記載の照明器具。
【請求項３】
前記光反射部は、前記各光反射体における前記第１反射部、前記第２反射部又は前記第３反射部の幅、高さ又は傾斜角度の少なくともいずれか１つを他の前記光反射体における前記第１反射部、前記第２反射部又は前記第３反射部の幅、高さ又は傾斜角度と異ならせることで、前記器具本体の周縁部側の光反射体における第２反射部の幅が、前記器具本体の中心部側の光反射体における第２反射部の幅よりも広くなるようにした、請求項２に記載の照明器具。
【請求項４】
前記光反射部は、複数の光反射体を一体に形成するとともに、ＬＥＤを露出させる複数のＬＥＤ配設部を備えた、請求項１から３のいずれか１項に記載の照明器具。
【発明の詳細な説明】
【技術分野】
【０００１】
本発明は、ＬＥＤを光源とする照明器具に関する。
【背景技術】
【０００２】
近年、照明器具の光源として、発光ダイオード（ＬＥＤ）を用いたものが開発されている（例えば、特許文献１）。ＬＥＤには指向性があり、１／２照度角が白熱灯や蛍光灯より狭いという特性がある。１／２照度角とは、水平面を垂直に照射したときに照明器具直下の照度（直下照度）の１／２の照度となる位置の開き角度である。この特性は例えばダウンライトやスポットライトのように直下照度やタスク光を重要視する照明器具では特に問題とならない。
【０００３】
一方、シーリングライトのように主照明として用いられる照明器具の場合は、直下照度やタスク光よりも空間全体の明るさ感が要求される。空間全体の明るさ感は、直下照度だけでなく壁面や天井面の照度を確保することで得られることが知られている。しかしながら、主照明として用いられる照明器具の光源にＬＥＤを用いた場合は、ＬＥＤの指向性のため壁面や天井面への配光が難しく、壁面や天井面の照度を確保し難いため、空間全体の明るさ感が得られにくいという問題がある。このため、光源にＬＥＤを用いた場合には、照明器具の出力(全光束値)と得られる明るさ(照度と明るさ感)とに乖離が生じるという問題がある。
【０００４】
従来はこの問題を解決するため、本来必要な出力以上のＬＥＤを用いることで壁面や天井面の照度を確保し、空間全体の明るさ感を確保するという手法がとられる傾向にあった。しかしながら、この手法では必要以上の電力を消費することとなり、実質的な省エネルギー性能が低下するという問題がある。
【０００５】
また、１／２照度角を広くして壁面や天井面にも配光するため、ＬＥＤにレンズが組み合わされることも多い。しかしながら、レンズはアクリルやポリカーボネイトなどの材料が使用されており、材料の透過率によりＬＥＤ本来の全光束値が損なわれることになる。このため、ＬＥＤの光をレンズを用いずに直接利用する場合と比較して、省エネルギー性能が低下するという問題がある。
【先行技術文献】
【特許文献】
【０００６】
【特許文献１】特表２０１０−５３３９６１号公報
【発明の概要】
【発明が解決しようとする課題】
【０００７】
本発明は、上記の問題を解決すべくなされたものである。本発明の第１の目的は、ＬＥＤを光源とする照明器具において広角配光を主とした光学制御を行うことで、空間の明るさ感を構成する天井面及び壁面照度を向上させ、直下照度を含めた適正照度を実現させることである。本発明の第２の目的は、ＬＥＤの光をレンズを用いずに広角配光を可能にすることで、ＬＥＤ性能を有効に発揮させ、省エネルギー性能を向上させることである。
【課題を解決するための手段】
【０００８】
本発明の解決しようとする課題は以上の如くであり、次にこの課題を解決するための手段を説明する。
【０００９】
即ち、第１の発明は、ＬＥＤを光源とする照明器具であって、
器具本体と、
前記ＬＥＤを点灯させるための装置である電源装置と、
前記器具本体を覆うセードと、
前記器具本体の周方向に配置される複数のＬＥＤにより構成されるＬＥＤ光源群が、前記器具本体の中心部から周縁部の方向に間隔をおいて複数配置される光源部と、
前記器具本体の中心部側に向けて傾斜し、かつ前記器具本体の周方向に連続して形成される第１反射部と、前記器具本体の周縁部側に向けて傾斜し、かつ前記器具本体の周方向に連続して形成される第２反射部とを有する光反射体が、隣接する前記ＬＥＤ光源群の間に配置される光反射部と、
前記器具本体に設けられる、前記照明器具を取り付けるための前記取付用穴と、
を備え、
前記光源部と前記光反射部は、前記電源装置または前記取付用穴の周りに配置される。
【００１０】
第２の発明は、第１の発明であって、
前記光反射部は、前記光反射体の前記第１反射部と前記第２反射部の間に、前記器具本体の周方向に連続して形成される第３反射部を備えた。
【００１１】
第３の発明は、第２の発明であって、
前記光反射部は、前記各光反射体における前記第１反射部、前記第２反射部又は前記第３反射部の幅、高さ又は傾斜角度の少なくともいずれか１つを他の前記光反射体における前記第１反射部、前記第２反射部又は前記第３反射部の幅、高さ又は傾斜角度と異ならせることで、前記器具本体の周縁部側の光反射体における第２反射部の幅が、前記器具本体の中心部側の光反射体における第２反射部の幅よりも広くなるようにした。
【００１２】
第４の発明は、第１から第３の発明であって、
前記光反射部は、複数の光反射体を一体に形成するとともに、ＬＥＤを露出させる複数のＬＥＤ配設部を備えた。
【発明の効果】
【００１３】
本発明の効果として、以下に示すような効果を奏する。
【００１４】
第１の発明によれば、ＬＥＤを光源とする照明器具においてＬＥＤ光源群の間に第１反射部と第２反射部とを有する光反射体を配したことで、ＬＥＤから直接照射される光やセードに反射した光は、光反射体により器具本体の中心部方向から器具本体の周縁部方向に向けて拡散され、広角配光が可能となる。これにより空間の明るさ感を構成する天井面及び壁面照度が向上し、直下照度を含めた適正照度を実現させることができる。
また、ＬＥＤの光をレンズを用いずに広角配光することが可能となるため、ＬＥＤ性能を有効に発揮させることができ、省エネルギー性能を向上させることができる。
【００１５】
第２の発明によれば、光反射部は、光反射体の第１反射部と第２反射部の間に器具本体の周方向に連続して形成される第３反射部を備える。これにより、光反射体の高さを抑え、光反射体の影によるセードの光むらを防止するとともに、光反射部の反射面を増大させることで光の拡散を促進させることができる。
【００１６】
第３の発明によれば、器具本体の周縁部側の光反射体における第２反射部の幅を、器具本体の中心部側の光反射体における第２反射部の幅よりも広くした。これにより、器具本体の周縁部に近い第２反射部によって器具本体の周縁部方向に向けて反射させる光を増大させることができ、天井面及び壁面照度を更に向上させることができる。
【００１７】
第４の発明によれば、光反射部は複数の光反射体を一体に形成するとともに、ＬＥＤを露出させる複数のＬＥＤ配設部を備えた。これにより、照明器具を容易に組み立てることができる。
【図面の簡単な説明】
【００１８】
【図１】本発明の第１実施形態に係る照明器具１１の（Ａ）側面図（Ｂ）斜め下方から見た斜視図。
【図２】照明器具１１を径方向に切断した断面の一部を示す図。
【図３】器具本体２１の一部を拡大した断面図。
【図４】器具本体２１の下面側を上にした斜視図。
【図５】ＬＥＤ４２の発光強度の分布を示す模式図。
【図６】本発明の第１実施形態に係る照明器具１１の配光を示す模式図。
【図７】光反射部５１を用いない場合の配光を示す模式図。
【図８】本発明の第２実施形態に係る照明器具１１の配光を示す模式図。
【図９】本発明の第３実施形態に係る照明器具１１の配光を示す模式図。
【図１０】本発明の第３実施形態に係る照明器具１１の変更例の配光を示す模式図。
【発明を実施するための形態】
【００１９】
本発明の第１実施形態に係る照明器具１１について、図１から図７を用いて説明する。本実施形態に係る照明器具１１は、ＬＥＤ４２の光をレンズを用いずに直接利用する照明器具である。図１に示すように、照明器具１１は、天井に直付けされるシーリングライトである。以下では、光を照射する側を照明器具１１の下面側とし、上面側は下面側の反対側（取付状態では天井側）として説明する。
【００２０】
図１、２に示すように、照明器具１１は、主に器具本体２１、電源装置６１、セード３１、センターカバー７１、光源部４１、光反射部５１を有している。器具本体２１の下面側には、中心部に穴３２を設けたドーナツ状のセード３１が取り付けられ、穴３２を覆うようにセンターカバー７１が取り付けられている。
【００２１】
図２、図３、図４に示すように、器具本体２１は、照明器具１１の本体を構成するものである。器具本体２１は、熱伝導性を有するアルミニウム等の金属板を用いて形成されている。器具本体２１の外形輪郭形状は円形であり、光源取付部２２、収容部２３、取付用穴２４が設けられている。
【００２２】
光源取付部２２は、光源部４１及び光反射部５１が取り付けられる部分である。光源取付部２２は、器具本体２１の周方向に沿って、縁部から一定の幅の領域に設けられている。光源取付部２２は、光源部４１で発生した熱を伝えて外部に放出する放熱部でもあるため、光源取付部２２の下面側、すなわち光源部４１が取り付けられる側は、光源部４１との接触面積が広くなるよう平坦に形成される。光源取付部２２の外周側には、セード３１を保持するための第１保持部２５が形成されている。
【００２３】
収容部２３は、光源部４１のＬＥＤ４２を点灯させるための電源装置６１や点灯装置（図示せず）等が収容される部分である。収容部２３は、光源取付部２２の内周側に沿って設けられている。収容部２３は、内部に電源装置６１や点灯装置等を収容するための高さ及び幅が確保されている。一方、収容部２３は光源部４１が取り付けられる光源取付部２２に隣接しており、収容部２３が光源部４１からの光を遮るとセード３１に収容部２３の影が映ることとなる。このため、収容部２３の外側は、面取り形状に形成され、光源部４１からの光を遮り難くしている。収容部２３の下面側であって器具本体２１の中心部側には、セード３１を保持するための第２保持部２６が形成されている。
【００２４】
取付用穴２４は、器具本体２１の中心部に設けられている。取付用穴２４は、照明器具１１を天井に取り付ける際、アダプタ（図示せず）を取り付けるために形成されている。照明器具１１を天井に取り付ける場合は、照明器具用の天井配線器具（引っ掛けシーリング）にアダプタを取付け、取付用穴２４にアダプタを差し込むようにして取り付ける。
【００２５】
電源装置６１は、点灯装置（図示せず）等とともに光源部４１のＬＥＤ４２を点灯させるための装置である。電源装置６１及び点灯装置等は、収容部２３に収容される。電源装置６１にはコネクタ６２が設けられており、照明器具１１を天井に取り付ける際、アダプタ側のコネクタ（図示せず）と接続することで、照明器具用の天井配線器具を介して外部電源と電気的に接続される。点灯装置と光源部４１は電線（図示せず）によって電気的に接続される。
【００２６】
セード３１は、器具本体２１の下面側を覆う部材であり、透光性を有する樹脂素材で形成されている。セード３１は、光源部４１からの光を反射及び拡散させつつ、外部へ配光する。セード３１の全体形状は、中心部に穴３２を設けたドーナツ状であり、上下の高さが低い扁平な形状である。
【００２７】
セード３１の下面側には、光源部４１からの光を透過させる下面側透光部３３が形成されている。下面側透光部３３は下面側に緩やかに膨らんでいる。また、セード３１には、器具本体２１に取り付けた場合に、器具本体２１の側方に張り出す部分である側面側透光部３４及び上面側透光部３５が形成されており、光を透過させる部分が下面側だけでなく、側面側及び上面側にも形成されている。このため、点灯状態では、照明器具１１の直下だけでなく、その周囲や壁面、天井面まで配光が可能となっている。セード３１の中心部の穴３２の周囲は、上面側に屈曲した中心側透光部３６が形成されており、中心側透光部３６からは穴３２の中心部に向けて配光が可能となっている。
【００２８】
セード３１の上面側透光部３５の縁部には、器具本体２１の第１保持部２５に保持される第１被保持部３７が形成されており、セード３１の中心側透光部３６の縁部には、器具本体２１の第２保持部２６に保持される第２被保持部３８が形成されている。第１被保持部３７が第１保持部２５に保持され、第２被保持部３８が第２保持部２６に保持されることで、セード３１は器具本体２１に取り付けられる。
【００２９】
センターカバー７１は、セード３１の穴３２を覆うように取り付けられる部材であり、透明な樹脂素材で形成されている。センターカバー７１は下面側に緩やかに膨らんでいる。センターカバー７１の上面側は、着色又は微細な凹凸が形成されており、光を反射する反射面７２とされている。センターカバー７１の周縁部には、センターカバー７１を器具本体２１に取り付けるための第３被保持部７３が形成されている。第３被保持部７３は、上面側に屈曲しており、第３被保持部７３が器具本体２１の第２保持部２６の外側に嵌合状態で保持されることで、センターカバー７１は、器具本体２１に取り付けられる。
【００３０】
センターカバー７１が器具本体２１に取り付けられた状態では、センターカバー７１の第３被保持部７３の外側の面は、セード３１の中心側透光部３６に面している。このため、点灯状態では、セード３１の中心側透光部３６を透過した光源部４１からの光の一部がセンターカバー７１の第３被保持部７３から導光され、センターカバー７１の周縁部が明るく光ることとなる。尚、センターカバー７１の上面側は、光を反射する反射面７２とされているため、下面側からセンターカバー７１を通して内部の構造を見ることはできない。
【００３１】
光源部４１は、基板４３上に光源としてのＬＥＤ４２が複数実装されて構成されている。図２、図３に示すように、各ＬＥＤ４２は下面側に向けて配置されているとともに、各ＬＥＤ４２にレンズは取り付けられておらず、光反射部５１によって各ＬＥＤ４２の光を直接利用するように構成されている。基板４３は、器具本体２１の光源取付部２２に熱伝導性シート（図示せず）を介して配置されている。
【００３２】
図３、図４に示すように、複数のＬＥＤ４２は、器具本体２１の周方向に沿って配置されており、本実施形態では器具本体２１の外形輪郭形状は円形であるため、複数のＬＥＤ４２が円形に配置されている。円形に配置された一組のＬＥＤ４２は、ＬＥＤ光源群４４を構成する。本実施形態では、ＬＥＤ光源群４４は４本構成されており、器具本体２１の中心部側から第１ＬＥＤ光源群４４１、第２ＬＥＤ光源群４４２、第３ＬＥＤ光源群４４３、第４ＬＥＤ光源群４４４とする。これらが器具本体２１の中心部から周縁部の方向に間隔をおいて同心円状に複数配置され、光源部４１を構成している。
【００３３】
光反射部５１は、光源部４１から照射された光を反射させ、広角配光を主とした光学制御を行う部材である。図３、図４に示すように、光反射部５１は、複数の光反射体５２と、内側反射体５３とから構成されており、各光反射体５２は、前述した隣接する２本のＬＥＤ光源群４４の間に配置される。具体的には、第１ＬＥＤ光源群４４１と第２ＬＥＤ光源群４４２の間に第１光反射体５２１、第２ＬＥＤ光源群４４２と第３ＬＥＤ光源群４４３の間に第２光反射体５２２、第３ＬＥＤ光源群４４３と第４ＬＥＤ光源群４４４の間に第３光反射体５２３がそれぞれ配置される。光反射体５２と内側反射体５３も器具本体２１の周方向に沿った形状であり、本実施形態では器具本体２１の外形輪郭形状は円形であるため、複数の光反射体５２と内側反射体５３は円形に配置されている。つまり、第１光反射体５２１、第２光反射体５２２、第３光反射体５２３、内側反射体５３は同心円状に配置されている。内側反射体５３は、第１ＬＥＤ光源群４４１よりも器具本体２１の中心部側に配置される。
【００３４】
光反射体５２はそれぞれ、第１反射部５４と第２反射部５５とを有する。第１反射部５４は、器具本体２１の中心部側に向けて傾斜し、かつ器具本体２１の周方向に連続して形成される。つまり、第１反射部５４は、器具本体２１の中心部側に向けられた反射面であり、この反射面が器具本体２１の周方向に連続して形成される。第２反射部５５は、器具本体２１の周縁部側に向けて傾斜し、かつ器具本体２１の周方向に連続して形成される。つまり、第２反射部５５は、器具本体２１の周縁部側に向けられた反射面であり、この反射面が器具本体２１の周方向に連続して形成される。具体的には、第１光反射体５２１は、第１反射部５４としての第１１反射部５４１と、第２反射部５５としての第１２反射部５５１を有する。同様に、第２光反射体５２２は、第１反射部５４としての第２１反射部５４２と、第２反射部５５としての第２２反射部５５２を有し、第３光反射体５２３は、第１反射部５４としての第３１反射部５４３と、第２反射部５５としての第３２反射部５５３を有する。内側反射体５３は、器具本体２１の周縁部側に向けて傾斜し、かつ器具本体２１の周方向に連続して形成される内側反射部５３１を有する。
【００３５】
ここで、第１反射部５４と第２反射部５５は、器具本体２１の周方向に連続して形成されるため、各ＬＥＤ４２に個別に反射面を形成する場合に較べて反射面を広く確保することができる。これにより、点光源であるＬＥＤ４２からの光を効果的に拡散させることができ、照明器具１１の直下だけでなく、その周囲や壁面、天井面まで配光が可能となり、かつ、むらの少ない配光が可能となる。
【００３６】
また、光反射部５１とセード３１との間に空間があり、光反射部５１の各光反射体５２が各ＬＥＤ光源群４４を仕切る構成ではないため、あるＬＥＤ光源群４４から照射された光がセード３１に反射して離れた位置にある光反射体５２によって更に反射されることとなる。これによっても点光源であるＬＥＤ４２からの光を効果的に拡散させることができ、照明器具１１の直下だけでなく、その周囲や壁面、天井面まで配光が可能となり、かつ、むらの少ない配光が可能となる。
【００３７】
光反射部５１は、光反射性を有する熱可塑性樹脂シートを熱成型することで形成されている。図３、図４に示すように、第１光反射体５２１、第２光反射体５２２、第３光反射体５２３と、内側反射体５３は一体に形成されているとともに、周方向には４分割されており、成型性と組立性を確保している。光反射部５１は、複数のＬＥＤ４２に対応する位置に、ＬＥＤ４２を露出させるための孔である複数のＬＥＤ配設部５７を形成している。このため、光源部４１の基板４３上に光反射部５１を配置すると、光反射部５１上にＬＥＤ４２が露出した状態で配置されることとなり、照明器具１１の組み立てが容易となる。
【００３８】
次に、本実施形態に係る照明器具１１の配光について、図５から図７を用いて説明する。図５は、一般的なＬＥＤ４２の発光強度の分布を示す模式図であり、ＬＥＤ４２の指向性を示している。図５の各線は光束及び発光強度を示している。ＬＥＤ４２からの光は実際には３次元方向に照射されるが、図５では２次元方向のみの配光を示している。図５に示すように、ＬＥＤ４２からの垂線上及び、垂線に対して２０度程度までの領域（実際には略円錐状の領域）では発光強度は比較的高い（発光強度高）。しかしながら、垂線に対して４０度前後の領域になると発光強度は低下し（発光強度中）、垂線に対して６０度を超える領域になると発光強度はかなり低下する（発光強度低）ことが分る。
【００３９】
図６及び図７は、本実施形態に係る照明器具１１の光反射部５１の機能を説明するための図である。図６は、本実施形態に係る照明器具１１の配光を示す模式図である。図７は、本実施形態に係る照明器具１１の光反射部５１を用いない場合の配光を示す模式図である。ＬＥＤ４２からの光は実際には３次元方向に照射されるが、図６、図７では２次元方向のみの配光を示している。図６及び図７において、第１ＬＥＤ光源群４４１、第２ＬＥＤ光源群４４２、第３ＬＥＤ光源群４４３及び第４ＬＥＤ光源群４４４の配置は本実施形態に係る照明器具１１と同様としているが、器具本体１１の下面側（図示上方）及び周縁部側（図示右方）には仮想のセード１３１を配置している。本実施形態に係る照明器具１１では、セード３１は平坦な面ではないが、図６及び図７では配光を簡略化して説明するために仮想のセード１３１は平坦な面としている。また、ＬＥＤ４２の発光強度の分布は図５に示した通りであるが、発光強度の低い光束を示す線及び反射光については説明に必要なもの以外、適宜省略している。
【００４０】
まず、図７を用いて、光反射部５１を用いない場合について説明する。光反射部５１を用いない場合には、第１ＬＥＤ光源群４４１、第２ＬＥＤ光源群４４２、第３ＬＥＤ光源群４４３及び第４ＬＥＤ光源群４４４からの光はセード１３１に直接照射される。このため、セード１３１の下面側（図示上方）には均等に配光され、照明器具の直下照度は十分確保される。しかしながら、周縁部側（図示右方）に照射される光は少なく、また照射されるとしても発光強度の低い光が中心である。このため壁面や天井面への配光が少なく、壁面や天井面の照度を確保できない照明器具となる。この照明器具を主照明として用いた場合、空間全体の明るさ感が得られにくい。
【００４１】
次に、図６に示すように、光反射部５１を用いた本実施形態に係る照明器具１１の場合について説明する。光反射部５１を用いた場合には、ＬＥＤ光源群４４（第１ＬＥＤ光源群４４１、第２ＬＥＤ光源群４４２、第３ＬＥＤ光源群４４３及び第４ＬＥＤ光源群４４４）からの光は、セード１３１に直接照射されるだけでなく、一部は第２反射部５５（第１２反射部５５１、第２２反射部５５２、第３２反射部５５３）や内側反射部５３１に反射し、周縁部側（図示右方）に照射される光が増加する。このため光反射部５１を用いない場合よりも壁面や天井面への配光が増加し、壁面や天井面の照度を確保できる照明器具となる。この照明器具１１を主照明として用いた場合、空間全体の明るさ感が向上する。
【００４２】
また、光反射部５１を用いた場合には、ＬＥＤ光源群４４（第１ＬＥＤ光源群４４１、第２ＬＥＤ光源群４４２、第３ＬＥＤ光源群４４３及び第４ＬＥＤ光源群４４４）からの光は、セード１３１に反射して一部は第１反射部５４（第１１反射部５４１、第２１反射部５４２、第３１反射部５４３）に反射し、中心部側（図示左方）に照射される光が増加する（図示せず）。このため光反射部５１を用いない場合よりも中心部側（図示左方）に広く配光される照明器具となる。
【００４３】
以上説明した本実施形態に係る照明器具１１によれば、ＬＥＤを光源とする照明器具１１において、ＬＥＤ光源群４４（第１ＬＥＤ光源群４４１、第２ＬＥＤ光源群４４２、第３ＬＥＤ光源群４４３及び第４ＬＥＤ光源群４４４）の間にそれぞれ第１反射部５４と第２反射部５５とを有する光反射体５２（第１光反射体５２１、第２光反射体５２２、第３光反射体５２３）を配したことで、ＬＥＤ光源群４４から直接照射される光やセード３１に反射した光は、光反射体５２（第１光反射体５２１、第２光反射体５２２、第３光反射体５２３）により器具本体２１の中心部方向から器具本体２１の周縁部方向に向けて拡散され、広角配光が可能となる。これにより空間の明るさ感を構成する天井面及び壁面照度が向上し、直下照度を含めた適正照度を実現させることができる。
【００４４】
また、ＬＥＤの光をレンズを用いずに広角配光することが可能となるため、ＬＥＤ４２の性能を有効に発揮させることができ、省エネルギー性能を向上させることができる。
【００４５】
次に、本発明の第２実施形態に係る照明器具１１について、図８を用いて説明する。本実施形態に係る照明器具１１では、光反射部５１は、光反射体５２（第１光反射体５２１、第２光反射体５２２、第３光反射体５２３）の第１反射部５４（第１１反射部５４１、第２１反射部５４２、第３１反射部５４３）と第２反射部５５（第１２反射部５５１、第２２反射部５５２、第３２反射部５５３）との間に器具本体の周方向に連続して形成される第３反射部５６（第１３反射部５６１、第２３反射部５６２、第３３反射部５６３）を設けた点が第１の実施形態に係る照明器具１１と大きく異なっている。第１の実施形態に係る照明器具１１と共通する部分については説明を省略する。
【００４６】
図８に示すように、本実施形態に係る照明器具１１の場合には、ＬＥＤ光源群４４（第１ＬＥＤ光源群４４１、第２ＬＥＤ光源群４４２、第３ＬＥＤ光源群４４３及び第４ＬＥＤ光源群４４４）からの光は、セード１３１に反射して一部は第３反射部５６（第１３反射部５６１、第２３反射部５６２、第３３反射部５６３）に反射し、周縁部側（図示右方）に照射される光が増加する（第３３反射部５６３の反射光参照。）。このため光反射部５１を用いない場合よりも壁面や天井面への配光が増加し、壁面や天井面の照度を確保できる照明器具となる。この照明器具１１を主照明として用いた場合、空間全体の明るさ感が向上する。
【００４７】
また、本実施形態に係る照明器具１１の場合には、第１の実施形態に係る照明器具１１の光反射部５１（図６参照。）よりも光反射体５２（第１光反射体５２１、第２光反射体５２２、第３光反射体５２３）の高さを抑えることができる。第１の実施形態に係る照明器具１１の光反射部５１では、光反射体５２がＬＥＤ光源群４４の光を遮ってしまう場合があり、セード３１に光むらが生じる場合があるが、本実施形態に係る照明器具１１の場合には、このような光むらが防止される。
【００４８】
以上説明した本実施形態に係る照明器具１１によれば、光反射体５１の高さを抑え、光反射体５１の影によるセード３１の光むらを防止するとともに、光反射部５１の反射面を増大させることで光の拡散を促進させることができる。
【００４９】
次に、本発明の第３実施形態に係る照明器具１１について、図９、図１０を用いて説明する。本実施形態に係る照明器具１１では、光反射部５１は、器具本体２１の周縁部側の光反射体５２における第２反射部５５の幅を、器具本体５１の中心部側の光反射体５２における第２反射部５５の幅よりも広くしている点が第１の実施形態に係る照明器具１１と大きく異なっている。第２反射部５５の幅とは、器具本体２１の中心部から周縁部の方向に沿い、かつ、第２反射部５５の面に沿った長さである。第１の実施形態に係る照明器具１１と共通する部分については説明を省略する。
【００５０】
図９に示すように、本実施形態に係る照明器具１１の場合には、主として各光反射体５２の高さを第１光反射体５２１＜第２光反射体５２２＜第３光反射体５２３とし、各光反射体５２における第３反射部５６の幅及び第２反射部５５の（器具本体２１に対する）傾斜角度を調整することで、第２反射部５５の幅を、第１２反射部５５１＜第２２反射部５５２＜第３２反射部５５３としている。このため、ＬＥＤ光源群４４（第１ＬＥＤ光源群４４１、第２ＬＥＤ光源群４４２、第３ＬＥＤ光源群４４３及び第４ＬＥＤ光源群４４４）からの光は、セード１３１に反射した後、第２反射部５５（第１２反射部５５１、第２２反射部５５２、第３２反射部５５３）に反射しやすくなり、周縁部側（図示右方）に照射される光が増加する。図９に示すように、発光強度の強い光も周縁部側（図示右方）に照射されている（第２２反射部５５２、第３２反射部５５３の反射光参照。）。このため壁面や天井面への配光が更に増加し、壁面や天井面の照度を確保できる照明器具となる。この照明器具１１を主照明として用いた場合、空間全体の明るさ感が向上する。
【００５１】
図１０は、本実施形態に係る照明器具１１の変更例を示している。図１０の場合には、図９に対して主として第１光反射体５２１の第１２反射部５５１の傾斜角度を変化させている。これにより、発光強度の強い光が図９よりも更に多く周縁部側（図示右方）に照射されている（第１２反射部５５１、第２２反射部５５２、第３２反射部５５３の反射光参照。）。
【００５２】
以上説明した本実施形態に係る照明器具１１によれば、器具本体２１の周縁部に近い第２反射部５５によって器具本体２１の周縁部方向に向けて反射させる光を増大させることができ、天井面及び壁面照度を更に向上させることができる。
【００５３】
以上、本発明の実施形態について説明したが、本発明は上記実施例に限定されるものではなく、様々な変更が可能である。例えば、照明器具１１は丸型としたが、角型やその他の形状としてもよい。また、シーリングライトの他、ペンダントライト等に適用してもよい。
【００５４】
本実施形態の光源部４１は、４本のＬＥＤ光源群４４により構成されているが、ＬＥＤ光源群４４の本数を限定するものではない。また、各ＬＥＤ光源群４４及び各光反射体５２は、器具本体２１の周方向に沿って配置されるとしたが、これはＬＥＤ光源群４４による配光がセード３１に対して略均一になることを意図したものであり、配光が略均一になる限りは、各ＬＥＤ光源群４４及び各光反射体５２の配置は、厳密に器具本体２１の周方向に沿った配置でなくてもよい。また、例えば照明器具１１（器具本体２１）が楕円形、角型等である場合においても、各ＬＥＤ光源群４４及び各光反射体５２の配置は、厳密に器具本体２１の周方向に沿った配置でなくてもよい。
【００５５】
光反射部５１の各部の形状、幅、傾斜角度等は本実施形態のものに限定されない。光反射部５１の各部の形状、幅、傾斜角度等は、光源部４１の配置、セード３１の形状等、あるいは配光すべき方向に合わせて適宜変更が可能である。
【符号の説明】
【００５６】
１１    照明器具
２１    器具本体
２２    光源取付部
２３    収容部
２４    取付用穴
２５    第１保持部
２６    第２保持部
３１    セード
３２    穴
３３    下面側透光部
３４    側面側透光部
３５    上面側透光部
３６    中心側透光部
３７    第１被保持部
３８    第２被保持部
４１    光源部
４２    ＬＥＤ
４３    基板
４４    ＬＥＤ光源群
５１    光反射部
５２    光反射体
５３    内側反射体
５４    第１反射部
５５    第２反射部
５６    第３反射部
５７    ＬＥＤ配設部
６１    電源装置
６２    コネクタ
７１    センターカバー
７２    反射面
７３    第３被保持部
１３１  セード
【図１】
0005689370.tif 000002
【図２】
0005689370.tif 000003
【図３】
0005689370.tif 000004
【図４】
0005689370.tif 000005
【図５】
0005689370.tif 000006
【図６】
0005689370.tif 000007
【図７】
0005689370.tif 000008
【図８】
0005689370.tif 000009
【図９】
0005689370.tif 000010
【図１０】
0005689370.tif 000011